(57)【特許請求の範囲】
【請求項１】
筐体に対して、引出しおよび収納自在に配設されるアンテナと、
該アンテナが挿通されるとともに、前記アンテナの挿通方向に離間する両溝側面が形成される溝部を有するアンテナ固定ホルダと、
スラスト方向に弾性変形することにより、前記溝部の両溝側面のうち、一方の溝側面に一方の面が、他方の溝側面に他方の面がそれぞれ当接する一方片を有し、前記一方片によって前記アンテナ固定ホルダを前記筐体に固定する固定部材を備えることを特徴とする電子機器。
【請求項２】
前記アンテナ固定ホルダは、導体で形成され、かつ、
前記固定部材は、導体で形成されるとともに回路基板の配線パターンに電気的に接続され、前記アンテナ用の接続端子を構成する
ことを特徴とする請求項１に記載の電子機器。
【請求項３】
前記固定部材を支持するための支持部と前記固定部材が前記アンテナ固定ホルダを固定する際に挿通する穴部とを有するとともに筐体を形成する筐体ケースを備え、
前記固定部材を、前記筐体ケースに対して前記穴部を挿通させて前記アンテナ固定ホルダの溝部に係合させ、前記支持部で支持して前記筐体ケースに取り付けた
ことを特徴とする請求項１または２に記載の電子機器。
【発明の詳細な説明】
【技術分野】
【０００１】
本発明は、アンテナ実装構造を備える電子機器に関する。
【背景技術】
【０００２】
図７(ａ)に示す携帯電話機１００にアンテナ１０６を取り付ける構造は、携帯電話機１００の外観デザインである意匠性向上、および携帯電話機１００全体の小型化を図るため、小スペースの取り付け構造が必要とされている。
【０００３】
しかし、従来のアンテナ取り付け構造は、図７(ａ)のＡ方向矢視図の図７(ｂ)に示すように、携帯電話機１００の蓋体１０２頂部のアンテナ取付け用筒体１０７内に、アンテナ１０６が挿通して摺動する固定ホルダ１０６oの雄ネジが螺合するネジナット１０７nを、インサート成形により配設して構成している。
【０００４】
上記構成において、アンテナ１０６を携帯電話機１００に取付けるに際しては、図７(ｂ)の矢印に示すように、固定ホルダ１０６oを取付けたアンテナ１０６を、その下端部１０６ｋからアンテナ取付け用筒体１０７のネジナット１０７n内へ挿入して、固定ホルダ１０６oの雄ネジをアンテナ取付け用筒体１０７内のネジナット１０７nに螺着することにより、アンテナ１０６を携帯電話機１００に取付けている。
【０００５】
なお、本願に係る文献公知発明としては、下記の特許文献１がある。
【特許文献１】特許第３０４３６４０号公報
【発明の開示】
【発明が解決しようとする課題】
【０００６】
ところで、上述のアンテナ取付け構造は、固定ホルダ１０６oの雄ネジを螺着するためのネジナット１０７nを、アンテナ取付け用筒体１０７内にインサート成形により配設する構造のため、アンテナ取付け部が大きくなり、大きなスペースを必要とする。また、インサート成形であるため、成形条件の調整が難しく、製品の歩留まりも悪かった。
【０００７】
そのため、アンテナ取付け部であるアンテナ取付け用筒体１０７を、携帯電話機１００の蓋体１０２内に収容し構成することは困難であり、図７(ａ)に示すように、蓋体１０２頂部に膨出する構成となったり、携帯電話機１００の蓋体１０２の背面部（ディスプレイの反対面）に膨出する構成となったりしていた。
【０００８】
このようなアンテナ取付け構造のため、製品の外観デザインが悪いとともに携帯電話機１００全体の小型化が困難となり、アンテナ取付け構造の小型化が技術課題となっている。
【０００９】
一方、特許文献１の問題点としては、アンテナ固定ホルダのスラスト方向のガタを止めるものがない、また、筐体ケースによってアンテナ固定ホルダを抑えていることから、アンテナ修理の際には、必ず筐体ケースを開けねばならず手間がかかる等がある。
【００１０】
本発明は上記実状に鑑み、アンテナ取付け構造を小スペース化して、意匠性向上および小型化を実現し得る電子機器の提供を目的とする。
【課題を解決するための手段】
【００１１】
上記目的を達成するべく、本発明の請求項１に関わる電子機器は、筐体に対して、引出しおよび収納自在に配設されるアンテナと、該アンテナが挿通されるとともに、前記アンテナの挿通方向に離間する両溝側面が形成される溝部を有するアンテナ固定ホルダと、スラスト方向に弾性変形することにより、前記溝部の両溝側面のうち、一方の溝側面に一方の面が、他方の溝側面に他方の面がそれぞれ当接する一方片を有し、前記一方片によって前記アンテナ固定ホルダを前記筐体に固定する固定部材を備えている。
【００１２】
本発明の請求項２に関わる電子機器は、請求項１に記載の電子機器において、前記アンテナ固定ホルダは、導体で形成され、かつ、前記固定部材は、導体で形成されるとともに回路基板の配線パターンに電気的に接続され、前記アンテナ用の接続端子を構成している。
【００１３】
本発明の請求項３に関わる電子機器は、請求項１または２に記載の電子機器において、前記固定部材を支持するための支持部と前記固定部材が前記アンテナ固定ホルダを固定する際に挿通する穴部とを有するとともに筐体を形成する筐体ケースを備え、前記固定部材を、前記筐体ケースに対して前記穴部を挿通させて前記アンテナ固定ホルダの溝部に係合させ、前記支持部で支持して前記筐体ケースに取り付けている。
【発明の効果】
【００１４】
以上、詳述した如く、本発明の請求項１に関わる電子機器によれば、固定部材を弾性変形させてアンテナ固定ホルダの溝部に係合させてアンテナ固定ホルダを固定するため、アンテナ固定ホルダが挿通方向にガタつくことなく、確実に固定できる。  そのため、アンテナ固定ホルダと接触端子間で接触抵抗が発生することなく、電気的特性が向上する。
【００１５】
また、アンテナを小スペースにて実装できるとともに、アンテナの実装構造が簡素なため、生産コストの低減が図れる。
【００１６】
本発明の請求項２に関わる電子機器によれば、固定部材がアンテナの接続端子を兼ねるので、接続端子が不用となり部品点数の削減が図れ、更なるコスト低減、小スペース化が可能である。
【００１７】
本発明の請求項３に関わる電子機器によれば、固定部材を筐体の上から取り付けているので筐体ケースを開けなくても容易にアンテナを交換でき、メンテナンス性に優れる。
【発明を実施するための最良の形態】
【００１８】
以下、本発明の実施形態について添付図面を参照して説明する。
【００１９】
本発明を適用した携帯電話機１は、図１(ａ)、図１(ａ)のＢ方向矢視図の図１(ｂ)に示すように、内部に制御部(図示せず)が収容される本体２に、文字等の各種情報を表示する液晶表示部３ａ1および通信用のアンテナ５を有する蓋体３が、ヒンジ部４を介して開閉自在に連結されている。  なお、本体２には、その上面に複数のテンキーのキートップ２a、多機能キーのキートップ２ｂ、および決定キーのキートップ２ｃが配設されている。
【００２０】
蓋体３は、液晶表示部３ａ1の周囲をポリカーボネイト等のプラスチック製の内ケースｋ1が覆っており、さらに液晶表示部３ａ1の上方を、化粧板ｋ2が矢印に示すように覆い取付けられる。
【００２１】
また、蓋体３には、図２(ｂ)に示すように、アンテナ５が、蓋体３長手方向に沿って貫設されるアンテナ収容孔ｈ内に、矢印に示す上方に向って引出しおよび収納自在に配設されている。  なお、図２(ａ)は、図１(ａ)に示す携帯電話機１の蓋体３上部の拡大図であり、図２(ｂ)は、図２(ａ)のＣ−Ｃ線断面図である。
【００２２】
アンテナ５は、その分解図である図３、図３のＤ部拡大図である図４に示すように、その先端部にキャップ５ｃが固定されており、このキャップ５ｃには、利用者がアンテナ５を引き出す際に利用者が爪を掛けたり指で摘むための円柱状凹部である引出し溝５ｃ1が形成されている。
【００２３】
アンテナ固定ホルダ６は、例えば導体である黄銅製の部品であり、円柱状の形状を呈して形成されており、中心部にアンテナ５が挿通される挿通孔６ｈが設けられるとともに内部に樽バネが(図示せず)配設され、この樽バネが挿通孔６ｈ内のアンテナ５に摩擦抵抗を付与している。また、アンテナ固定ホルダ６の外形部には、固定金具７が係合するための円柱状凹部である係合溝６ｍが形成されており、図２(ｂ)に示すように、固定金具７が係合溝６ｍに係合することにより、アンテナ固定ホルダ６が蓋体３内に固定されている。
【００２４】
このように、アンテナ５は、蓋体３内に固定されるアンテナ固定ホルダ６内を挿通され、アンテナ固定ホルダ６内の樽バネにより摩擦抵抗が付与されているため、アンテナ５が、蓋体３のアンテナ収容孔ｈ内に完全に収納されている場合(図１、図２参照)、或いは、図２(ｂ)の矢印に示すように外方の任意の位置に引出された場合には、アンテナ固定ホルダ６内の樽バネによる摩擦抵抗により、任意の位置に静的に保持される。
【００２５】
一方、アンテナ５の引出し動作および収納動作時のアンテナ移動時にはアンテナ固定ホルダ６内の樽バネにより適度な摺動抵抗が付与されている。
【００２６】
アンテナ５によって受信される電波の信号は、アンテナ５に接触する樽バネを介してアンテナ固定ホルダ６に伝達された後、図２(ｂ)に示すように、アンテナ固定ホルダ６に接触する接続端子８を介して回路基板の配線パターン(図示せず)に伝達されている。なお、本実施例では、アンテナ固定ホルダ６を黄銅製とする場合を例示して説明したが、導体であれば黄銅に限定されないことは言うまでもない。
【００２７】
アンテナ固定ホルダ６を蓋体３内に固定する固定金具７は、例えば、弾性材であるステンレス鋼板を用いて板金成形される部品である。
【００２８】
アンテナ固定ホルダ６は、図４に示すように、一方片７ａおよび他方片７ｂを有するＬ字状に形成されており、一方片７ａ、他方片７ｂの互いのなす角θが、９５°〜９７°の鈍角に設定されている。
【００２９】
一方片７ａには、アンテナ固定ホルダ６の係合溝６ｍに係合する円弧状部をもつ切欠き部７ｋが形成されるとともに、他方片７ｂには固定用のねじｎが挿通する取付け穴７ｆが穿孔されている。
【００３０】
ここで、固定金具７の一方片７ａと他方片７ｂとのなす角度θと、アンテナ固定ホルダ６の係合溝６ｍの寸法との関係について説明する。
【００３１】
固定金具７の切欠き部７ｋが、図４の矢印に示すように、アンテナ固定ホルダ６の係合溝６ｍに係合することにより、図２(ｂ)に示すように、アンテナ固定ホルダ６が蓋体３内の所定位置に固定され、固定金具７は、図２(ａ)に示すように、蓋体３の液晶表示部３ａ1上方の内ケースｋ1にねじｎにより固定されている。
【００３２】
図５は、アンテナ固定ホルダ６を固定金具７により係合して固定した状態を、理解を容易にするため、アンテナ固定ホルダ６の係合溝６ｍの幅寸法Ｔ(後述)を拡大して示した概念図である。
【００３３】
アンテナ固定ホルダ６の係合溝６ｍの幅寸法、すなわち、アンテナ５のスラスト方向に離間する溝側面６m1、６m2間距離をＴとし、固定金具７の板厚の寸法をｔとすると、Ｔ＞ｔの寸法関係にある。  なぜなら、Ｔ＜＝ｔの寸法関係にある場合には、固定金具７の切欠き部７ｋがアンテナ固定ホルダ６の係合溝６ｍに係合できないからである。
【００３４】
このように、Ｔ＞ｔの寸法関係にあり、Ｌ字状の固定金具７の角度θ＝９０°である場合には、固定金具７は、図５の一点鎖線で示すｃ位置の状態に配置されることになる。
【００３５】
この場合、固定金具７の一方片７ａとアンテナ固定ホルダ６の係合溝６ｍの溝側面６m1、６m2間にスラスト方向のクリアランス(＝Ｔ−ｔ)が発生しガタが生じ、アンテナ固定ホルダ６が、固定金具７に対して矢印に示すようにスラスト方向に移動してしまう。従って、固定金具７の角度θ＝９０°である場合には、固定金具７をアンテナ固定ホルダ６に係合させて、アンテナ固定ホルダ６を蓋体３内の所定位置に固定することは不可能となる。
【００３６】
一方、固定金具７の角度θをθ＞９０°に設定した場合においても、一方片７ａが傾斜する角度である角度θの大きさが係合溝６ｍの寸法Ｔより小さい場合、すなわち、一方片７ａが、例えば、破線で示すｄ位置に配設される場合には、一方片７ａの上下両面７ａ1、７ａ2が共に、それぞれ係合溝６ｍの溝側面６m1、６m2に接することはなく、固定金具７の一方片７ａと係合溝６ｍの溝側面６m1、６m2間にスラスト方向のクリアランスが発生しガタが生じ、固定金具７に対して、アンテナ固定ホルダ６が矢印に示すようにスラスト方向に移動してしまう。
【００３７】
従って、固定金具７の角度θ＞９０°であり、かつ、一方片７ａが傾斜する角度θの大きさが係合溝６ｍの寸法Ｔより小さい場合、すなわち一方片７ａの上下両面７ａ1、７ａ2が共に、それぞれ係合溝６ｍの溝側面６m1、６m2に当接しない場合には、固定金具７がアンテナ固定ホルダ６に係合して、アンテナ固定ホルダ６を蓋体３内の所定位置に固定することは不可能である。
【００３８】
上述したことから、本実施例においては、Ｌ字状の固定金具７の一方片７ａ、他方片７ｂのなす角度θを、アンテナ固定ホルダ６の係合溝６ｍより大きく、すなわち、固定金具７の角度θで傾斜する一方片７ａが、図５の二点鎖線で示すａ位置になるように角度θを設定している。
【００３９】
このような角度θの設定により、固定金具７の切欠き部７ｋを、アンテナ固定ホルダ６の係合溝６ｍに係合するに際して、固定金具７は、二点鎖線で示すａ位置の状態から実線で示すｂ位置の状態に弾性変形して、固定金具７の一方片７ａの上下両面７ａ1、７ａ2が共に、それぞれ係合溝６ｍの溝側面６m1、６m2に当接するため、アンテナ固定ホルダ６は、固定金具７の弾性力により所定位置に保持され、確実に固定される。
【００４０】
次に、アンテナ５を携帯電話機１の蓋体３に取り付ける方法について説明する。
【００４１】
図３に示すように、アンテナ固定ホルダ６を挿通したアンテナ５を、その下端部５1から、図１(ｂ)に示す蓋体３の頂部に開口する貫通孔ｈへ差し入れて収納する。アンテナ固定ホルダ６は、キャップ５ｃをアンテナ５に取り付ける前に、アンテナ５に挿通される。その後、キャップ５ｃをアンテナ５に取り付ける。下端部５１の外径は、挿通孔６ｈの内径より大きくなっており、アンテナ固定ホルダ６の抜け止めをなしている。
【００４２】
続いて、図２(ｂ)に示すように、固定金具７の一方片７ａを、携帯電話機１の内ケースｋ1の開口ｋ10から差し入れて、図４に示すように、固定金具７の一方片７ａの切欠き部７ｋを蓋体３内のアンテナ固定ホルダ６の係合溝６ｍに弾性変形させて係合する。この際、固定金具７の一方片７ａは、図５に示すように、二点鎖線で示すａ位置から実線で示すｂ位置に弾性変形して係合することになる。
【００４３】
そして、図３に示すように、ねじｎを、固定金具７の他方片７ｂの取付け穴７ｆに挿通させて、図２(ａ)に示すように、内ケースｋ1に螺着させて、固定金具７を内ケースｋ1上に固定する。
【００４４】
そして、図１(ａ)に示すように、化粧板ｋ2を、内ケースｋ1に固定した固定金具７を覆って蓋体３上部に取付ける。
【００４５】
上記構成によれば、図５に示すように、固定金具７の一方片７ａがそれぞれ弾性変形して実線で示すｂ位置にあって、その上下面７a1、７a2が係合溝６ｍの溝側面６m1、６m2に当接して、アンテナ固定ホルダ６を固定金具７の弾性力を用いてスラスト方向に支持するので、アンテナ固定ホルダ６が確実に所定箇所に保持され、固定される。  よって、アンテナ固定ホルダ６がスラスト方向にガタつくことが防止される。
【００４６】
そのため、アンテナ固定ホルダ６がスラスト方向にガタつくことにより、アンテナ固定ホルダ６と該アンテナ固定ホルダ６に接触する接続端子８との間に接触抵抗が発生することがない。
【００４７】
従って、アンテナ５により受信される電波の信号を、接触抵抗を発生することなく、アンテナ５から、アンテナ固定ホルダ６、接続端子８を介して、回路基板の配線パターンに伝達することができるので、電気的性能の向上が図れる。
【００４８】
また、アンテナ固定ホルダ６がガタつくことなく蓋体３内で確実に固定されるので、利用者の取り扱い感、見栄え等が向上する。
【００４９】
また、従来、使用していたアンテナを固定するためのネジナットが不要になるので、アンテナ５の実装を小スペースにて行なえる。
【００５０】
また、ネジナットが不用になり、アンテナ５の実装構造が簡素になるので、生産コストの低減が図れる。
【００５１】
また、アンテナ固定ホルダ６を、筐体を形成する内ケースｋ1の上から取り付けていることから、アンテナ５の修理に際しては、内ケースｋ1を開けなくても容易にアンテナ５を交換できるため、メンテナンス性に優れる。
【００５２】
なお、上述の実施例においては、固定金具７の材料としてステンレス鋼板を例示して説明したが、固定金具７の材料は、弾性材であればステンレス鋼板以外の材料を適宜選択して使用可能である。
【００５３】
図６は、図２(ｂ)に示す上記実施例の変形例を示している。
【００５４】
変形例は、接続端子８を不要な構成にした以外は上記実施例と同様な構成であるので、同一の構成要素には同一の符号を付して示し、説明を省略する。
【００５５】
図６の変形例においては、ねじｎ1を内ケースｋ1に螺着させて固定金具１７を内ケースｋ1に固定した際、ねじｎ1が回路基板９の配線パターン(図示せず)に導通するように構成している。
【００５６】
ここで、固定金具１７は、ステンレス鋼板等の弾性材であり導体である部品であり、また、ねじｎ1も導体である金属等を材料としている。
【００５７】
上記構成によれば、アンテナ５で受信した電波は、アンテナ５から、アンテナ固定ホルダ６、固定金具１７、およびねじｎ1を介して、回路基板９の配線パターンに伝達される。
【００５８】
そのため、前記実施例の作用効果に加えて、接続端子８が不用となるため、部品点数が削減され更なる生産コストの低減が図れ、更なる小スペース化が図れる。
【００５９】
なお、変形例では、固定金具１７の材料としてステンレス鋼板を例示したが、弾性材であり導体であればステンレス鋼板に限定されないことは言うまでもない。
【００６０】
また、上述の実施例においては、固定部材である固定金具７、１７をＬ字状の形状として一方片を傾斜させ、固定金具７、１７を弾性変形させてアンテナ固定ホルダ６の係合溝６ｍに係合させて、アンテナ固定ホルダ６を固定する構成を例示して説明したが、固定部材を弾性変形させてアンテナ固定ホルダ６の係合溝６ｍに係合させて、アンテナ固定ホルダ６を固定する構成であれば、固定部材の形状は、Ｌ字状の形状に限定されるものではない。
【図面の簡単な説明】
【００６１】
【図１】(ａ)および(ｂ)は、本発明に関わる実施例の携帯電話機の蓋体を開いた状態を示す斜視図、および(ａ)図のＢ方向矢視図。
【図２】(ａ)および(ｂ)は、図１(ａ)に示す携帯電話機の蓋体上部の拡大図、および(ａ)図のＣ−Ｃ線断面図。
【図３】実施例の携帯電話機のアンテナの組み立て過程を示す斜視図。
【図４】携帯電話機のアンテナ固定ホルダに固定金具を係合する過程を示す斜視図。
【図５】携帯電話機のアンテナ固定ホルダに固定金具を係合させて固定した状態をアンテナ固定ホルダの係合溝の寸法を拡大して示す概念図。
【図６】実施例の変形例を示す図２(ａ)のＣ−Ｃ線断面図。
【図７】(ａ)および(ｂ)は、従来の携帯電話機の蓋体を開いた状態を示す斜視図、および携帯電話機へアンテナを組み付ける過程を示す(ａ)図のＡ方向矢視一部断面図。
【符号の説明】
【００６２】
１…電子機器、
５…アンテナ、
６…アンテナ固定ホルダ、
６ｍ…溝部、
６m1、６m2…溝側面、
７、１７…固定部材、
ｋ1…筐体ケース、
ｋ10…穴部。
【図１】
0004838623.tif 000002
【図２】
0004838623.tif 000003
【図３】
0004838623.tif 000004
【図４】
0004838623.tif 000005
【図５】
0004838623.tif 000006
【図６】
0004838623.tif 000007
【図７】
0004838623.tif 000008